(57)【要約】      （修正有）【課題】取り付けアセンブリを用いたインバータアセンブリを提供する。【解決手段】取り付けアセンブリ２は、防水部材２１と固定部材２２とを備える。防水部材は、壁面９ａに設けられ、且つ、第１面２１１と第２面２１２と開口２１３とガスケットセット２１６、２１７とを備える。第１面はインバータ３に、第２面は壁面に面し、開口は第１面と第２面との間を貫通する。ガスケットセットは、開口の外周縁に周設され、壁面とインバータに当接される。インバータは、壁面の線出口９ｂと開口とインバータの導線口とを貫通して導出される導線９ｃと電気的に接続される。固定部材が壁面に設けられ、且つ防水部材に連結される。固定部材は、第３面２２１と第４面２２２と第１噛み合い部材２２３とを備える。第３面はインバータに面し、第４面は壁面に面する。第１噛み合い部材とインバータの第２噛み合い部材３１とが噛み合うことで、インバータが壁面に固定される。【選択図】図１
2020182368.tif 000002
【特許請求の範囲】
【請求項１】
インバータに適用する取り付けアセンブリであって、防水部材と固定部材とを備え、
前記防水部材は、壁面に設けられ、且つ、前記防水部材は、第１面と第２面と少なくとも１つの開口と少なくとも１つのガスケットセットとを備え、前記第１面と前記第２面とが互いに対向し、前記第１面は前記インバータに面し、前記第２面は前記壁面に面し、前記少なくとも１つの開口は、前記第１面と前記第２面との間を貫通し、且つ、前記少なくとも１つの開口は、前記壁面の線出口と前記インバータの導線口とに対応するように位置され、前記ガスケットセットが、前記少なくとも１つの開口の外周縁に周設され、前記インバータが前記壁面に固定されると、前記少なくとも１つの開口が前記導線口に対応するように位置され、前記少なくとも１つのガスケットセットは、前記壁面と前記インバータとに当接され、前記インバータは、前記線出口と前記少なくとも１つの開口と前記導線口とを通して導出される導線と電気的に接続され、
前記固定部材は、前記壁面に設置され、且つ前記防水部材と連結し、前記固定部材は、第３面と第４面と少なくとも１つの第１噛み合い部材とを備え、前記第３面と前記第４面とが互いに対向し、前記第３面は前記インバータに面し、前記第４面は前記壁面に面し、前記少なくとも１つの第１噛み合い部材は、前記インバータの少なくとも１つの第２噛み合い部材に対応するように位置され、前記少なくとも１つの第１噛み合い部材と前記少なくとも１つの第２噛み合い部材とが噛み合うことで、前記インバータが前記壁面に固定される、ことを特徴とする取り付けアセンブリ。
【請求項２】
前記防水部材は、少なくとも１つの第１締付けアセンブリを備え、前記少なくとも１つのガスケットセットの外周縁に周設され、前記防水部材を前記壁面に固定させるように設けられ、前記少なくとも１つのガスケットセットが前記防水部材と前記壁面との間に密着される、ことを特徴とする請求項１に記載の取り付けアセンブリ。
【請求項３】
前記第１締付けアセンブリは、第１締付け孔と第１締付け部材とを備え、前記第１締付け孔は、前記防水部材に設けられ、前記第１締付け部材は、前記第１締付け孔を通して前記防水部材を前記壁面に固定させ、且つ前記少なくとも１つのガスケットセットが前記防水部材と前記壁面との間に密着される、ことを特徴とする請求項２に記載の取り付けアセンブリ。
【請求項４】
前記固定部材は、少なくとも１つの第２締付けアセンブリを備え、前記固定部材を前記壁面に固定させるように設けられ、前記少なくとも１つの第１噛み合い部材と前記第２噛み合い部材とが噛み合うと、前記インバータの前記導線口は、前記防水部材の前記少なくとも１つの開口に対応するように位置される、ことを特徴とする請求項１に記載の取り付けアセンブリ。
【請求項５】
前記第２締付けアセンブリは、第２締付け孔と第２締付け部材とを備え、前記第２締付け孔が前記固定部材に設けられ、前記第２締付け部材は、前記第２締付け孔を通して前記固定部材を前記壁面に固定させる、ことを特徴とする請求項４に記載の取り付けアセンブリ。
【請求項６】
前記少なくとも１つのガスケットセットは、第１ガスケットと第２ガスケットとを備え、それぞれ、前記第１面と前記第２面とに設けられ、前記第１ガスケットは第１ガスケット開口を有し、前記少なくとも１つの開口と前記導線口とに対応し、前記第２ガスケットは第２ガスケット開口を有し、前記少なくとも１つの開口と前記線出口とに対応する、ことを特徴とする請求項１に記載の取り付けアセンブリ。
【請求項７】
前記防水部材は収容溝を備え、前記少なくとも１つの開口の外周縁に周設され、且つ前記第１ガスケットの少なく一部が前記収容溝に収容される、ことを特徴とする請求項６に記載の取り付けアセンブリ。
【請求項８】
前記防水部材は、少なくとも１つの噛み合い孔を備え、前記少なくとも１つの開口の外周縁に隣接され、前記第１ガスケットは少なくとも１つの貫通孔を備え、前記第１ガスケット開口の外周縁に隣接され、前記少なくとも１つの噛み合い孔に対応し、前記インバータは、少なくとも１つの第３締付けアセンブリを備え、前記導線口の外周縁に隣接され、前記少なくとも１つの貫通孔と前記少なくとも１つの噛み合い孔とに対応し、前記第３締付けアセンブリは、前記貫通孔を通して前記噛み合い孔と噛み合うことで、前記インバータを前記防水部材に固定させ、前記第１ガスケットが前記防水部材と前記インバータとの間に密着され、前記少なくとも１つの噛み合い孔が前記収容溝の底面に設けられる、ことを特徴とする請求項６又は請求項７に記載の取り付けアセンブリ。
【請求項９】
前記第１ガスケットと前記第２ガスケットとが互いに連結され、且つ一体化される、ことを特徴とする請求項６に記載の取り付けアセンブリ。
【請求項１０】
前記第１ガスケット開口の面積は、前記第２ガスケット開口の面積よりも小さい、ことを特徴とする請求項６に記載の取り付けアセンブリ。
【請求項１１】
前記第１噛み合い部材は、第１位置決め部材を備え、前記第２噛み合い部材は、第２位置決め部材を備え、前記第１位置決め部材と前記第２位置決め部材とが対応し、前記第１噛み合い部材と前記第２噛み合い部材とが噛み合うと、前記防水部材の前記少なくとも１つの開口が前記インバータの前記導線口に対応して位置される、ことを特徴とする請求項１に記載の取り付けアセンブリ。
【請求項１２】
前記防水部材は第１接合端を備え、前記少なくとも１つの開口より外部へ延伸し、前記固定部材は第２接合端を備え、前記固定部材の一端に位置され、前記第１接合端と前記第２接合端とが互いに噛み合い、前記防水部材と前記固定部材とを連結して前記取り付けアセンブリを構成する、ことを特徴とする請求項１に記載の取り付けアセンブリ。
【請求項１３】
接合部材を更に備え、前記第１接合端と前記第２接合端とに噛み合い、前記防水部材と前記固定部材とを連結して前記取り付けアセンブリを構成し、前記第１接合端は第３位置決め部材を備え、前記第２接合端は第４位置決め部材を備え、前記第３位置決め部材と前記第４位置決め部材とが対応する、ことを特徴とする請求項１２に記載の取り付けアセンブリ。
【請求項１４】
前記固定部材は固定孔を備え、前記第３面と前記第４面とを貫通し、前記壁面における支持部材が掛着するように設けられる、ことを特徴とする請求項１に記載の取り付けアセンブリ。
【請求項１５】
インバータアセンブリであって、インバータと取り付けアセンブリとを備え、
前記インバータは、導線口と少なくとも１つの第２噛み合い部材とを備え、前記インバータの背面に設けられ、
前記取り付けアセンブリは、防水部材と固定部材とを備え、
前記防水部材は、壁面に設けられ、且つ、前記防水部材は、第１面と第２面と少なくとも１つの開口と少なくとも１つのガスケットセットとを備え、前記第１面と前記第２面とが互いに対向し、前記第１面は前記インバータに面し、前記第２面は前記壁面に面し、前記少なくとも１つの開口は、前記第１面と前記第２面との間を貫通し、且つ、前記少なくとも１つの開口は、前記壁面の線出口と前記インバータの前記導線口とに対応し、前記ガスケットセットは、前記少なくとも１つの開口の外周縁に周設され、前記インバータが前記壁面に固定されると、前記少なくとも１つの開口が前記導線口に対応して位置され、前記ガスケットセットは、それぞれ、前記壁面と前記インバータとに当接され、前記インバータは、前記線出口と少なくとも１つの開口と前記導線口とを貫通して導出される導線と電気的に接続され、
前記固定部材は、前記壁面に設けられ、且つ前記防水部材に連結され、前記固定部材は、第３面と第４面と少なくとも１つの第１噛み合い部材とを備え、前記第３面と前記第４面とが互いに対向し、前記第３面が前記インバータに面し、前記第４面が前記壁面に面し、前記少なくとも１つの第１噛み合い部材は、前記インバータの前記少なくとも１つの第２噛み合い部材に対応し、前記少なくとも１つの第１噛み合い部材と前記少なくとも１つの第２噛み合い部材とが噛み合うことで、前記インバータが前記壁面に固定される、ことを特徴とするインバータアセンブリ。
【発明の詳細な説明】
【技術分野】
【０００１】
本発明は、取り付けアセンブリに関し、より詳しくは、防水設計を有する取り付けアセンブリ及びそれを用いたインバータアセンブリ。
【先前技術】
【０００２】
インバータは、直流（ＤＣ）を交流（ＡＣ）に変換する電子部品であり、用途が広く、且つ用途に応じて様々な場所に設置されている。一般に、インバータは、設置時に、入力又は出力の配線が外部に露出される場合がある。インバータが室外に設置される場合、露出された配線が太陽に直接さらされる危険性に耐える必要があり、配線は老化する傾向がある。さらに、露出した配線は、全体的な設置構造の美観に優れないにもかかわらず、配線が多くなると、外観が乱れる印象を与える。
【０００３】
また、インバータが室外に設置される場合、インバータが雨による損傷を受けないように保護する必要がある。しかしながら、従来のインバータの取り付けアセンブリは、防水機能を設計しておらず、十分な保護と安全性が得られない。
【０００４】
本発明は上述の事情に鑑みてなされたものであり、従来技術の問題点を解決するために、防水設計を有する取り付けアセンブリ及びそれを用いたインバータアセンブリを提供する。
【発明の概要】
【発明が解決しようとする課題】
【０００５】
本発明の目的は、防水設計を有する取り付けアセンブリ及びそれを用いたインバータアセンブリを提供することである。防水設計を有する取り付けアセンブリによって、インバータが垂直な壁面に設置されることができ、且つ壁面より導出される導線と最短距離で電気的に接続されるとともに、防水機能を提供することもできる。取り付けアセンブリの構造が合理化され、且つ導線が露出されず、設置プロセスの簡素化に加えて、インバータアセンブリの安全性が確保される。
【０００６】
本発明のもう一つの目的は、防水設計を有する取り付けアセンブリ及びそれを用いたインバータアセンブリを提供することである。取り付けアセンブリは、防水機能と固定機能とを統合することができる。設置時に、取り付けアセンブリは、インバータの導線口を壁面の線出口に直接に対応するように位置させることで、設置プロセスの簡素化が実現されることができる。設置後、取り付けアセンブリは、インバータの導線を露出させず、且つ最短距離で壁面の線出口に電気的に接続され、インバータの防水性を効率的に向上させるとともに、インバータアセンブリの安全性を確保することができる。
【課題を解決するための手段】
【０００７】
前述した目的を達成するために、本発明は、インバータに適用する取り付けアセンブリを提供し、前記取り付けアセンブリは、防水部材と固定部材とを備える。防水部材は、壁面に設置され、且つ、防水部材は第１面と第２面と少なくとも１つの開口と少なくとも１つのガスケットセットとを備える。第１面と第２面とが互いに対向し、第１面はインバータに面し、第２面は壁面に面し、少なくとも１つの開口が第１面と第２面との間を貫通し、且つ少なくとも１つの開口は、壁面の線出口とインバータの導線口とに対応する。ガスケットセットは、少なくとも１つの開口の外周縁に周設される。インバータが壁面に固定されると、少なくとも１つの開口が導線口に対応して位置され、少なくとも１つのガスケットセットは、壁面とインバータとのそれぞれに当接され、インバータは、線出口と少なくとも１つの開口と導線口とを貫通して導出される導線と電気的に接続される。固定部材が壁面に設けられ、且つ防水部材に連結される。固定部材は、第３面と第４面と少なくとも１つの第１噛み合い部材とを備える。第３面と第４面とが互いに対向し、第３面はインバータに面し、第４面は壁面に面し、少なくとも１つの第１噛み合い部材は、インバータの少なくとも１つの第２噛み合い部材に対応する。少なくとも１つの第１噛み合い部材と少なくとも１つの第２噛み合い部材とが噛み合うことで、インバータが壁面に固定される。
【０００８】
前述した目的を達成するために、本発明は、インバータアセンブリを提供し、前記インバータアセンブリは、インバータと取り付けアセンブリとを備える。インバータは、導線口と少なくとも１つの第２噛み合い部材とを備え、インバータの背面に設けられる。取り付けアセンブリは、防水部材と固定部材とを備える。防水部材は、壁面に設けられ、且つ、防水部材は、第１面と第２面と少なくとも１つの開口と少なくとも１つのガスケットセットとを備える。第１面と第２面とが互いに対向し、第１面はインバータに面し、第２面は壁面に面し、少なくとも１つの開口は、第１面と第２面との間を貫通し、且つ少なくとも１つの開口は、壁面の線出口とインバータの導線口とに対応する。ガスケットセットは、少なくとも１つの開口の外周縁に周設される。インバータが壁面に固定されると、少なくとも１つの開口が導線口に対応して位置され、ガスケットセットは、壁面とインバータとのそれぞれに当接され、インバータは、線出口と少なくとも１つの開口と導線口とを貫通して導出される導線と電気的に接続される。固定部材は壁面に設けられ、且つ、防水部材に連結される。固定部材は、第３面と第４面と少なくとも１つの第１噛み合い部材とを備える。第３面と第４面とが互いに対向し、第３面はインバータに面し、第４面は壁面に面し、少なくとも１つの第１噛み合い部材は、インバータの少なくとも１つの第２噛み合い部材に対応する。少なくとも１つの第１噛み合い部材と少なくとも１つの第２噛み合い部材とが噛み合うことで、インバータが壁面に固定される。
【図面の簡単な説明】
【０００９】
【図１】本発明の好ましい実施形態に係るインバータアセンブリの構造分解図である。
【図２】本発明の好ましい実施形態に係るインバータアセンブリを別の視点から見た分解図である。
【図３】本発明の好ましい実施形態に係る取り付けアセンブリの構造を示す図である。
【図４】本発明の好ましい実施形態に係る取り付けアセンブリを別の視点から見た構造概念図である。
【図５】本発明の好ましい実施形態に係る取り付けアセンブリの構造分解図である。
【図６】本発明の好ましい実施形態に係る取り付けアセンブリを別の視点から見た分解図である。
【図７】図７Ａ〜図７Ｄは、本発明の好ましい実施形態に係るインバータアセンブリのさまざまな段階における構造の概略図である。
【発明を実施するための形態】
【００１０】
本発明の特徴および利点を具体化するいくつかの典型的な実施形態は、以下の内容において詳細に説明する。本発明は、様々な実施形態において変更が可能であることを留意されたい。上記の変更も本願特許請求の範囲に含まれる。また、本明細書の説明及び図面は、本発明を説明するためのものであり、本発明を限定するものではない。
【００１１】
図１は、本発明の好ましい実施形態に係るインバータアセンブリの構造分解図である。図２は、本発明の好ましい実施形態に係るインバータアセンブリを別の視点から見た分解図である。図３は、本発明の好ましい実施形態に係る取り付けアセンブリの構造を示す図である。図４は、本発明の好ましい実施形態に係る取り付けアセンブリを別の視点から見た構造概念図である。図５は、本発明の好ましい実施形態に係る取り付けアセンブリの構造分解図である。図６は、本発明の好ましい実施形態に係る取り付けアセンブリを別の視点から見た分解図である。本実施形態において、インバータアセンブリ１は、取り付けアセンブリ２とインバータ３とを備える。取り付けアセンブリ２は、防水部材２１と固定部材２２とを備える。インバータ３は、導線口３２を備え、前記導線口３２は、例えば、インバータ３の背面に設けられても良い。本実施形態において、防水部材２１は、壁９の壁面９ａに取り付けられる。壁面９ａは、限定されないが、垂直な壁面である。また、壁９は、壁面９ａに形成される線出口９ｂを有し、且つ導線９ｃが貫通して導出される。本実施形態において、防水部材２１は、第１面２１１と、第２面２１２と、少なくとも１つの開口２１３と、少なくとも１つのガスケットセット２１６、２１７とを備える。第１面２１１と第２面２１２とが互いに対向し、第１面２１１がインバータ３に面し、第２面２１２が壁面９ａに面する。少なくとも１つの開口２１３は、第１面２１１と第２面２１２とを貫通し、且つ少なくとも１つの開口２１３は、壁面９ａの線出口９ｂとインバータ３の導線口３２とに対応する。少なくとも１つのガスケットセット２１６、２１７は、少なくとも１つの開口２１３の外周縁に周設される。取り付けアセンブリ２がインバータ３を介して壁面９ａに固定される時、少なくとも１つの開口２１３が導線口３２に対応して位置され、少なくとも１つのガスケットセット２１６、２１７は、それぞれ壁面９ａとインバータ３に当接され、導線９ｃは、インバータ３内の電子機器３４と電気的に接続されるように、線出口９ｂと少なくとも１つの開口２１３と導線口３２を貫通する。本実施形態において、固定部材２２が壁面９ａに設けられ、且つ防水部材２１に接続される。固定部材２２は、第３面２２１と、第４面２２２と、少なくとも１つの第１噛み合い部材２２３とを備える。第３面２２１と第４面２２２とが互いに対向し、第３面２２１がインバータ３に面し、第４面２２２が壁面９ａに面する。本実施形態において、インバータ３は、第２噛み合い部材３１を更に備える。固定部材２２の少なくとも１つの第１噛み合い部材２２３は、インバータ３の少なくとも１つの第２噛み合い部材３１に対向する。少なくとも１つの第１噛み合い部材２２３は、インバータ３が取り付けアセンブリ２を介して壁面９ａに固定されるように、少なくとも１つの第２噛み合い部材３１に噛み合わされる。
【００１２】
本実施形態において、少なくとも１つのガスケットセット２１６、２１７は、第１ガスケット２１６と第２ガスケット２１７とを備え、それぞれ、第１面２１１と第２面２１２とに設けられる。防水部材２１は、第２ガスケット２１７の外周縁に隣接する少なくとも１つの第１締付けアセンブリ２１４、２１５を備え、防水部材２１を壁面９ａに固定させ、第２ガスケット２１７を防水部材２１と壁面９ａとの間に密着される。本実施形態において、第１締付けアセンブリ２１４、２１５は、第１締付け孔２１４と第１締付け部材２１５とを備え、第１締付け孔２１４は、防水部材２１に設けられ、第１締付け部材２１５は、第１締付け孔２１４を介して防水部材２１を壁面９ａに固定させ、第２ガスケット２１７が、防水部材２１と壁面９ａとの間に密着される。固定部材２２は、少なくとも１つの第２締付けアセンブリ２２４、２２５を備え、固定部材２２を壁面９ａに固定させるように設けられる。第２締付けアセンブリ２２４、２２５は、第２締付け孔２２４と第２締付け部材２２５とを備え、第２締付け孔２２４が固定部材２２に設けられ、第２締付け部材２２５が第２締付け孔２２４を介して固定部材２２を壁面９ａに固定させる。第２締付け部材２２５が第２締付け孔２２４を介して固定部材２２を壁面９ａに固定させ、且つ固定部材２２の少なくとも１つの第１噛み合い部材２２３とインバータ３の第２噛み合い部材３１とが噛み合わされると、インバータ３の導線口３２は、防水部材２１の少なくとも１つの開口２１３に対応して位置される。
【００１３】
なお、第２締付け部材２２５は、第２締付け孔２２４を介して、固定部材２２が壁面９ａに固定され、且つ固定部材２２の少なくとも１つの第１噛み合い部材２２３とインバータ３の第２噛み合い部材３１とが噛み合わされると、インバータ３の導線口３２が防水部材２１の少なくとも１つの開口２１３に対応して位置する。固定部材２２の第１噛み合い部材２２３は、第１位置決め部材２２３ａとを備え、前記第１位置決め部材２２３ａが凹溝である。インバータ３の第２噛み合い部材３１は、第２位置決め部材３１ａを備え、前記第２位置決め部材が凸部構造を有する。これによって、第１位置決め部材２２３ａと第２位置決め部材３１ａとが対向し、第１噛み合い部材２２３と第２噛み合い部材３１とが噛み合う場合、防水部材２１の少なくとも１つの開口２１３がインバータ３の導線口３２に対応して位置する。また、本実施形態において、防水部材２１は、少なくとも１つの開口２１３より外部に延びる第１接合端２２０を備え、固定部材２２は、固定部材２２の一端に位置される第２接合端２２６を備え、第１接合端２２０と第２接合端２２６とが互いに噛み合い、防水部材２１と固定部材２２とを連接して取り付けアセンブリ２を構成する。本実施形態において、取り付けアセンブリ２は、接合部材２３を更に備え、接合部材２３は、例えば、ねじであり、第１接合端２２０のねじ孔と第２接合端２２６のねじ孔とに螺合することで、防水部材２１と固定部材２２とを連結して取り付けアセンブリ２を構成する。
【００１４】
また、本実施形態において、第１接合端２２０は、第３位置決め部材２２０ａを備え、第２接合端２２６は、第４位置決め部材２２６ａを備え、第３位置決め部材２２０ａと第４位置決め部材２２６ａとが互いに対応する。防水部材２１と固定部材２２とを連結すると、第２締付け部材２２５は、第２締付け孔２２４を貫通して固定部材２２を壁面９ａに固定させ、且つ固定部材２２の少なくとも１つの第１噛み合い部材２２３とインバータ３の第２噛み合い部材３１とが噛み合い、インバータ３の導線口３２が防水部材２１の少なくとも１つの開口２１３に対応して位置することができる。なお、本発明は、防水部材２１と固定部材２２との連結方法を限定しない。一つの実施形態では、防水部材２１と固定部材２２とは、機械的なプレス加工によって取り付けアセンブリ２に一体的に形成することができる。防水部材２１と固定部材２２との連結方法は、実際の用途に応じて調整可能であり、ここでは詳細を省略する。
【００１５】
本実施形態において、第１ガスケット２１６と第２ガスケット２１７とは、それぞれ、第１面２１１と第２面２１２とに設けられる。本実施形態において、第１ガスケット２１６は、第１ガスケット開口２１６ａを有し、前記第１ガスケット開口２１６ａは、少なくとも１つの開口２１３とインバータ３の導線口３２とに対応する。第２ガスケット２１７は、第２ガスケット開口２１７ａを有し、前記第２ガスケット開口２１７ａは、少なくとも１つの開口２１３と壁面９ａの線出口９ｂとに対応する。本実施形態において、防水部材２１は、収容溝２１８を備え、前記収容溝２１８は、少なくとも１つの開口２１３の外周縁に周設され、且つ第１ガスケット２１６の少なくとも一部が収容溝２１８に収容される。防水部材２１は、少なくとも１つの噛み合い孔２１９を備え、前記噛み合い孔２１９が少なくとも１つの開口２１３の外周縁に隣接され、且つ収容溝２１８の底面に設けられる。第１ガスケット２１６は、少なくとも１つの貫通孔２１６ｂを備え、前記貫通孔２１６ｂが第１ガスケット開口２１６ａの外周縁に隣接され、且つ少なくとも１つの噛み合い孔２１９に対応する。インバータ３は、例えば、ねじとねじ孔からなる少なくとも１つの第３締付けアセンブリ３３であり、前記第３締付けアセンブリ３３は、導線口３２の外周縁に隣接され、且つ少なくとも１つの貫通孔２１６ｂと少なくとも１つの噛み合い孔２１９とに対応する。第３締付けアセンブリ３３は、貫通孔２１６ｂを通して噛み合い孔２１９と噛み合うことで、インバータ３が防水部材２１に固定され、第１ガスケット２１６を防水部材２１とインバータ３との間に密着される。前述したように、第１締付け部材２１５が第１締付け孔２１４を通して防水部材２１が壁面９ａに固定される時、第２ガスケット２１７は、防水部材２１と壁面９ａとの間に密着される。これによって、取り付けアセンブリ２がインバータ３の導線口３２を壁面９ａの線出口９ｂに対応するように位置させ、導線９ｃは、線出口９ｂと少なくとも１つの開口２１３と導線口３２とを通してインバータ３内の電子機器３４と電気的に接続されることができる。インバータ３の導線９ｃとの電気的な接続が露出されず、且つ最短距離で電気的な接続を実現できるので、インバータ３の防水性を効率的に向上しつつ、インバータアセンブリ１の安全性を確保することができる。
【００１６】
他の実施形態では、第１ガスケット２１６と第２ガスケット２１７ｔとは、互いに接続可能であり、一体化されたガスケットセットを構成することができる。本発明は、少なくとも１つのガスケットセット２１６、２１７の組合せ方式を限定しない。本実施形態において、第１ガスケット開口２１６ａの面積は、第２ガスケット開口２１７ａの面積よりも小さい。これは、導線９ｃが線出口９ｂより導出され、第２ガスケット開口２１７ａと開口２１３と第１ガスケット開口２１６ａと導線口３２とを通して、インバータ３内の電子機器３４と電気的に接続することに優れる。第１ガスケット２１６が防水部材２１とインバータ３との間に密着に設けられ、及び第２ガスケット２１７が防水部材２１と壁面９ａとの間に設けられることによって、インバータ３の導線９ｃとの電気的な接続が露出されず、インバータアセンブリ１は、導線９ｃを十分に保護し、且つ、防水性を得ることができる。
【００１７】
図１〜図６、又は図７Ａ〜図７Ｄを参照されたい。図７Ａ〜図７Ｄは、本発明の好ましい実施形態に係るインバータアセンブリのさまざまな段階における構造の概略図である。本実施形態において、取り付けアセンブリ２の第１噛み合い部材２２３とインバータ３の第２噛み合い部材３１とが噛み合うと、インバータ３の導線口３２は、取り付けアセンブリ２の開口２１３及び壁面９ａの線出口９ｂに対応して位置されるので、取り付けプロセスを簡素することができる。まず、図７Ａに示すように、取り付けアセンブリ２の防水部材２１と固定部材２２とが一体化された後に壁面９ａに設置しても良い。本実施形態において、防水部材２１は、第１締付け部材２１５が第１締付け孔２１４を貫通することによって、防水部材２１を壁面９ａに固定させ、固定部材２２は、第２締付け部材２２５が第２締付け孔２２４を貫通することによって、固定部材２２が壁面９ａに固定されている。本実施形態において、固定部材２２は、第３面２２１と第４面２２２とを貫通する固定孔２２７を更に備え、前記固定孔２２７は、壁面９ａにおける支持部材（図示せず、例えば、フックなど）が掛着するように設けられる。なお、取り付けアセンブリ２を壁面９ａに固定する任意の方式でもよく、ここでは詳細を省略する。取り付けアセンブリ２が壁面９ａに固定される時、防水部材２１の開口２１３が壁面９ａにおける線出口９ｂに対応して位置され、第２ガスケット２１７の第２ガスケット開口２１７ａの面積は、線出口９ｂの面積よりも大きい。これによって、第２ガスケット２１７が線出口９ｂの外周縁を完全に囲むように形成されており、且つ、第２ガスケット２１７は防水部材２１と壁面９ａとの間に密着している。この時、図７Ｂに示すように、導線９ｃは、線出口９ｂと第２ガスケット開口２１７ａと開口２１３と第１ガスケット開口２１６ａ（図１を参照）を介して導出することができる。次に、取り付けアセンブリ２の第１噛み合い部材２２３の第１位置決め部材２２３ａとインバータ３の第２位置決め部材３１ａとを対向させ、少なくとも１つの第１噛み合い部材２２３とインバータ３の第２噛み合い部材３１とが噛み合うことができる（図７Ｃを参照）。この時、インバータ３は、例えばユーザーが導線９ｃをインバータ３の導線口３２に通りやすい角度に斜けることができる。ユーザーが導線９ｃをインバータ３の背面の導線口３２（図２を参照）に通し、インバータ３を壁面９ａに貼り付けると、取り付けアセンブリ２の少なくとも１つの開口２１３がインバータ３の導線口３２に対応して位置されることができる。第１噛み合い部材２２３と第２噛み合い部材３１との噛み合い、及びインバータ３の重量により、第１ガスケット２１６は、取り付けアセンブリ２の防水部材２１とインバータ３との間に密着されることができる。本実施形態において、インバータ３における第３締付けアセンブリ３３（図１及び図２を参照）は、貫通孔２１６ｂを通して噛み合い孔２１９と噛み合うことで、インバータ３を取り付けアセンブリ２の防水部材２１に固定することができ、第１ガスケット２１６が防水部材２１とインバータ３との間に密着されることを確保できる。最後に、ユーザーが導線９ｃをインバータ３内の電子機器３４に電気的に接続して、インバータ３の前カバーを閉じることによって、インバータアセンブリ１を最短距離で電気的に接続しつつ、防水機能を果たせ、インバータアセンブリ１の安全性を確保することができる。なお、本発明のインバータアセンブリ１は、取り付けアセンブリ２の第１噛み合い部材２２３とインバータ３の第２噛み合い部材３１とが噛み合うことで、インバータ３の導線口３２が、取り付けアセンブリ２の開口２１３と壁面９ａの線出口９ｂとに対応して位置され、取り付けプロセスが簡単化することができる。取り付けアセンブリ２の第１噛み合い部材２２３とインバータ３の第２噛み合い部材３１との噛み合う方式は、本発明の必要な技術的特徴を限定しない。２つの噛み合い部材の噛み合いによる任意の固定方式は、本発明に適用でき、ここでは詳細を省略する。
【００１８】
上述したように、本発明は、防水設計を有する取り付けアセンブリ及びそれを用いたインバータアセンブリを提供する。防水設計を有する取り付けアセンブリによって、インバータは垂直の壁面に取り付けられることができ、且つ、壁面に導出される導線と最短距離で電気的に接続され同時に、防水機能を果たせることができる。取り付けアセンブリの構造が合理化されており、且つ導線が露出しないので、設置プロセスの簡素化に加えて、インバータアセンブリが使用中の安全性も保証されることができる。取り付けアセンブリは、防水機能及び固定機能を統合されている。設置中、取り付けアセンブリは、インバータの導線口を壁面の線出口に直接対応して配置させるので、取り付けプロセスが簡単である。設置後、取り付けアセンブリは、インバータの導線を露出させず、最短距離で壁面の線出口に電気的に接続されており、インバータの防水性を効果的に向上させるとともに、インバータアセンブリの安全性を確保することができる。
【００１９】
本発明は、技術に精通している当業者によって変更・改良されることができるが、いずれも本願特許請求の範囲に含まれる。
【符号の説明】
【００２０】
１        インバータアセンブリ
２        取り付けアセンブリ
２１      防水部材
２１１    第１面
２１２    第２面
２１３    開口
２１４    第１締付け孔
２１５    第１締付け部材
２１６    第１ガスケット
２１６ａ  第１ガスケット開口
２１６ｂ  貫通孔
２１７    第２ガスケット
２１７ａ  第２ガスケット開口
２１８    収容溝
２１９    噛み合い孔
２２０    第１接合端
２２０ａ  第３位置決め部材
２２      固定部材
２２１    第３面
２２２    第４面
２２３    第１噛み合い部材
２２３ａ  第１位置決め部材
２２４    第２締付け孔
２２５    第２締付け部材
２２６    第２接合端
２２６ａ  第４位置決め部材
２２７    固定孔
２３      接合部材
３        インバータ
３１      第２噛み合い部材
３１ａ    第２位置決め部材
３２      導線口
３３      第３締付けアセンブリ
３４      電子機器
９        壁
９ａ      壁面
９ｂ      線出口
９ｃ      導線
【図１】
2020182368.tif 000003
【図２】
2020182368.tif 000004
【図３】
2020182368.tif 000005
【図４】
2020182368.tif 000006
【図５】
2020182368.tif 000007
【図６】
2020182368.tif 000008
【図７Ａ】
2020182368.tif 000009
【図７Ｂ】
2020182368.tif 000010
【図７Ｃ】
2020182368.tif 000011
【図７Ｄ】
2020182368.tif 000012